(57)【要約】【課題】吸水することが無く、高い耐久力及び、高い洗浄力を発揮できる洗浄ブラシを提供する。【解決手段】被洗浄面に付着した汚れ等を洗浄するためのブラシ片を有する洗浄ブラシにおいて、前記ブラシ片にポリプロピレンの長繊維よりなる不織布が使用されてあると共に、前記ブラシ片の表面に複数の概波形凹凸形状あるいは概半球凹凸形状が形成されてあるものである。【選択図】        図１
2004268007.tif 000002
【特許請求の範囲】
【請求項１】
被洗浄面に付着した汚れ等を洗浄するためのブラシ片を有する洗浄ブラシにおいて、前記ブラシ片にポリプロピレンの長繊維よりなる不織布が使用されてあると共に、前記ブラシ片の表面に複数の概波形凹凸形状あるいは概半球凹凸形状が形成されてあることを特徴とする洗浄ブラシ。
【請求項２】
請求項１記載の構成よりなる洗浄ブラシにおいて、前記ブラシ片にポリプロピレンの長繊維にたいしてナイロン繊維、ポリエチレン繊維、ポリエステル繊維、アクリル繊維、あるいはウレタン繊維のうち、少なくとも１種類以上を所定重量％配合した不織布が使用されてあることを特徴とする洗浄ブラシ。
【請求項３】
請求項１あるいは２記載の構成よりなる洗浄ブラシにおいて、前記ブラシ片に撥水性あるいは保水性を有するコーティング処理がされてあることを特徴とする洗浄ブラシ。
【発明の詳細な説明】
【０００１】
【発明の属する技術分野】
本発明は、被洗浄面に付着した汚れ等を洗浄するための洗浄ブラシに関するものである。
【０００２】
【従来の技術】
洗浄ブラシについては、さまざまな改良がなされ、例えば、洗車機の回転ブラシとして、特許第３１５６０６５号の如く、回転ブラシに使用する洗浄体がナイロン長繊維からなる不織布で構成されてあり、前記不織布の表面に、多数の熱圧着部分の分散により形成された凹凸を有している技術が、開示されてある。しかしながら、ナイロン長繊維は、吸水性が高い為、洗浄体にたいして水分等が含浸することにより洗浄体の重量が増加することがあった。また、低温状態にて洗浄体を放置した場合には、凍結することがあった。
【０００３】
【発明が解決しようとする課題】
本発明は、上記のような課題を解決するためになされたもので、吸水することが無く、高い耐久力及び、高い洗浄力を発揮できる洗浄ブラシを提供することを目的としている。
【０００４】
【課題を解決するための手段】
本発明にかかる洗浄ブラシは、次のように構成したものである。
（１）被洗浄面に付着した汚れ等を洗浄するためのブラシ片を有する洗浄ブラシにおいて、前記ブラシ片にポリプロピレンの長繊維よりなる不織布が使用されてあると共に、前記ブラシ片の表面に複数の概波形凹凸形状あるいは概半球凹凸形状が形成されてあるものである。
【０００５】
（２）上記（１）記載の洗浄ブラシにおいて、前記ブラシ片にポリプロピレンの長繊維にたいしてナイロン繊維、ポリエチレン繊維、ポリエステル繊維、アクリル繊維、あるいはウレタン繊維のうち、少なくとも１種類以上を所定重量％配合した不織布が使用されてあるものである。
【０００６】
（３）上記（１）あるいは（２）記載の洗浄ブラシにおいて、前記ブラシ片に撥水性あるいは保水性を有するコーティング処理がされてあるものである。
【０００７】
【発明の実施の形態】
実施の形態１
図１から図２にて実施の形態１を示す。図１は、本発明の洗浄ブラシを洗車ブラシとして使用した形態を前面側から見た斜視図である。図１において、１は洗車ブラシ、２は回転軸、３はブラシ片、４は溝部、５は止め金具、６は端面、７は凸部、８は凹部である。また、図２は、図１に使用したブラシ片を前面側から見た斜視図である。
【０００８】
図１において、洗車ブラシ１は、回転軸２、ブラシ片３、及び止め金具５より構成されてある。ブラシ片３は、端面６が重ね合わされるように、概中央部にて折り込まれた後、止め金具５に装着されて、回転軸２の外周部に形成された溝部４にたいして、勘合挿入されて、複数、形成されてある。
【０００９】
ブラシ片３は、図２の如く、表面に複数の概波形凹凸形状が形成されてある。材質は、ポリプロピレンの長繊維よりなる不織布が使用されてある。概波形凹凸形状は、複数の凸部７及び凹部８より形成されてあり、ブラシ片３の両側面に形成された端面６にたいして、直交するように形成されてある。その為、ブラシ片３は、端面６にたいして直交するように形成されてある複数の凸部７及び凹部８が、回転軸２の長手方向にたいして直交するように形成される。
【００１０】
実施の形態１の洗車ブラシ１は、上記の如くの構成となっているので、使用時には、複数の凸部７及び凹部８を、被洗浄面にたいして直交して接触させることができる。その為、ブラシ片３の腰を、強く保持することができ、高い洗浄力を発揮できる。また、ブラシ片３は、複数の凸部７及び凹部８を有する概波形凹凸形状に形成されてある為、被洗浄面にたいして、柔らかく、かつ分散させて接触させることができる。その為、高い耐久力を発揮できる。また、ブラシ片３は、ポリプロピレンの長繊維よりなる不織布が使用されてある為、吸水する事無く、高い洗浄力を発揮できる。
【００１１】
実施の形態１の洗車ブラシ１は、上記の如くの構成となっているが、概波形凹凸形状の詳細形状、ブラシ片の枚数等の構造は、使用する目的に応じて、適時、最適になるように設定しても、何ら支障は無い。また、概波形凹凸形状の形成状態については、例えば、ブラシ片の端面６から中央部に向かって所定部分のみに形成する等、使用する目的に応じて、適時、最適になるように設定しても、何ら支障は無い。
【００１２】
次に、図３にて実施の形態１の他の実施例を示す。図３は、実施の形態１の他の実施例のブラシ片を前面側から見た斜視図である。図３において、１３はブラシ片、１６は端面、１７は凸部、１８は凹部である。
【００１３】
ブラシ片１３は、端面１６が重ね合わされるように、概中央部にて折り込まれた後、回転軸に装着される。ブラシ片１３は、表面に複数の概波形凹凸形状が形成されてある。概波形凹凸形状は、複数の凸部１７及び凹部１８より形成されてあり、ブラシ片１３の両側面に形成された端面１６にたいして、所定の傾斜角度を有して形成されてある。その為、ブラシ片１３を、回転軸に装着して使用した時には、複数の凸部１７及び凹部１８が、回転軸の長手方向にたいして所定の傾斜角度を有するように形成される。
【００１４】
実施の形態１の他の実施例のブラシ片１３は、上記の如くの構成となっているので、使用時には、複数の凸部１７及び凹部１８を、被洗浄面にたいして所定の傾斜角度を有して接触させることができる。その為、ブラシ片１３が、被洗浄面にたいして、強く接触した場合でも、所定の傾斜角度が、接触時の衝撃を柔らかく吸収することができる。その為、被洗浄面を傷つけること無く、高い洗浄力及び高い耐久力を発揮できる。また、ブラシ片１３の複数の凸部１７及び凹部１８が伸縮することにより、被洗浄面の汚れ等を、強く掻き出すことができる。
【００１５】
実施の形態１の他の実施例のブラシ片１３は、上記の如くの構成となっているが、所定の傾斜角度の形成状態については、例えば、複数の傾斜角度を有する概Ｖ字形状、あるいは概Ｗ字形状に形成する等、使用する目的に応じて、適時、最適になるように設定しても、何ら支障は無い。
【００１６】
また、図４及び図５にて実施の形態１の他の実施例を示す。図４は、実施の形態１の他の実施例のブラシ片を前面側から見た斜視図である。図４において、２３はブラシ片、２６は端面、２７、３７は凸部、２８、３８は凹部である。図５は、図４のブラシ片のＡ−Ａ断面図である。図５において、３５は端部である。
【００１７】
ブラシ片２３は、端面２６が重ね合わされるように、概中央部にて折り込まれた後、回転軸に装着される。ブラシ片２３は、表面に互いに直交するように複数の概波形凹凸形状が形成されてある。概波形凹凸形状は、複数の凸部２７及び凹部２８より形成されてあるか、あるいは、複数の凸部３７及び凹部３８より形成されてある。また、概波形凹凸形状は、図４及び図５の如く、端部２５、３５が形成されてある。その為、ブラシ片２３を、回転軸に装着して使用した時には、複数の凸部２７及び凹部２８より形成されてあるか、あるいは、複数の凸部３７及び凹部３８より形成されてある概波形凹凸形状が、回転軸の長手方向にたいして直交するか、あるいは平行になるように形成される。
【００１８】
実施の形態１の他の実施例のブラシ片２３は、上記の如くの構成となっているので、使用時には、概波形凹凸形状が、回転軸の長手方向にたいして直交するか、あるいは平行になるように接触させることができる。その為、ブラシ片２３に形成された概波形凹凸形状を、被洗浄面にたいして、直交、あるいは平行に接触させることができる。その為、被洗浄面の汚れ等の付着力が強いときであっても、ブラシ片２３の複数の凸部及び凹部が伸びることによる洗浄力の劣化を、防止できると共に、高い洗浄力を発揮できる。また、ブラシ片２３の複数の凸部及び凹部が伸縮することにより、被洗浄面の汚れ等を、強く掻き出すことができる。
【００１９】
また、図６にて実施の形態１の他の実施例を示す。図６は、実施の形態１の他の実施例のブラシ片を前面側から見た斜視図である。図６において、３３はブラシ片、３６は端面、４５は端部、４７は凸部である。
【００２０】
ブラシ片３３は、端面３６が重ね合わされるように、概中央部にて折り込まれた後、回転軸に装着される。ブラシ片３３は、表面に互いに直交するように複数の凸部４７が形成されてある。また、両端には、端部４５が形成されてある。
【００２１】
実施の形態１の他の実施例のブラシ片３３は、上記の如くの構成となっているので、使用時には、被洗浄面にたいして、互いに直交するように形成された複数の凸部４７を接触させることができる。その為、被洗浄面にたいして、ブラシ片３３を強く接触させた場合でも、変形が少なく、かつ被洗浄面を強力に洗浄することができる。
【００２２】
実施の形態１の他の実施例のブラシ片３３は、上記の如くの構成となっているが、ブラシ片３３の厚みについては、均一な厚みを保持しつつ、凸部４７を形成する場合のみならず、例えば、裏面は平面に形成されていて、かつ反対の表面は上記の如くの凸部４７を有するように、厚みが不均一に形成される等、使用する目的に応じて、適時、最適になるように設定しても、何ら支障は無い。また、凸部のみならず、凹部が形成されてあっても、何ら支障は無い。さらにまた、凸部あるいは凹部の詳細形状についても、概波形形状等、適時、最適になるように設定しても、何ら支障は無い。
【００２３】
また、図７にて実施の形態１の他の実施例を示す。図７は、実施の形態１の他の実施例のブラシ片を前面側から見た斜視図である。図７において、４３はブラシ片、４６は端面、４９は概Ｕ字形状部、５７は凸球部である。
【００２４】
ブラシ片４３は、端面４６が重ね合わされるように、概中央部にて折り込まれた後、回転軸に装着される。ブラシ片４３は、表面に複数の凸球部５７が、形成されてある。また、端面４６には、複数の凸球部５７の一部により形成された複数の概Ｕ字形状部４９が、形成されてある。
【００２５】
実施の形態１の他の実施例のブラシ片４３は、上記の如くの構成となっているので、使用時には、被洗浄面にたいして、複数の凸球部５７の一部により形成された複数の概Ｕ字形状部４９を接触させることができる。その為、被洗浄面に汚れ等が強く付着している場合でも、複数の凸球部５７の一部により形成された複数の概Ｕ字形状部４９が、汚れ等に強く接触することにより、被洗浄面を強力に洗浄することができる。
【００２６】
また、図８にて実施の形態１の他の実施例を示す。図８は、実施の形態１の他の実施例のブラシ片を前面側から見た斜視図である。図８において、５３はブラシ片、５６は端面、５９、６９は概Ｕ字形状部、６７は凸球部、６８は凹球部である。
【００２７】
ブラシ片５３は、端面５６が重ね合わされるように、概中央部にて折り込まれた後、回転軸に装着される。ブラシ片５３は、表面に複数の凸球部６７及び凹球部６８が、形成されてある。また、端面５６には、複数の凸球部６７及び凹球部６８の一部により形成された複数の概Ｕ字形状部５９及び概Ｕ字形状部６９が、形成されてある。
【００２８】
実施の形態１の他の実施例のブラシ片５３は、上記の如くの構成となっているので、使用時には、被洗浄面にたいして、複数の凸球部６７及び凹球部６８の一部により形成された複数の概Ｕ字形状部５９及び概Ｕ字形状部６９を接触させることができる。その為、被洗浄面に汚れ等が強く付着している場合でも、複数の凸球部６７及び凹球部６８の一部により形成された複数の概Ｕ字形状部５９及び概Ｕ字形状部６９が、汚れ等に強く接触することにより、ブラシ片５３の表面あるいは裏面のどちらの面を使用した場合であっても、被洗浄面を強力に洗浄することができる。
【００２９】
実施の形態１の他の実施例のブラシ片５３は、上記の如くの構成となっているが、複数の凸球部６７及び凹球部６８の配設状態、形状等については、使用する目的に応じて、適時、最適になるように設定しても、何ら支障は無い。
【００３０】
実施の形態２
図９にて実施の形態２を示す。図９は、本発明の洗浄ブラシを洗車ブラシとして使用した形態を前面側から見た斜視図である。図９において、６１は洗車ブラシ、６２は回転軸、６３はブラシ片、６４は溝部、６５は止め金具、６６は端面である。
【００３１】
図９において、洗車ブラシ６１は、回転軸６２、ブラシ片６３、及び止め金具６５より構成されてある。ブラシ片６３は、端面６６が重ね合わされるように、概中央部にて折り込まれた後、止め金具６５に装着されて、回転軸６２の外周部に形成された溝部６４にたいして、勘合挿入されて、複数、形成されてある。
【００３２】
ブラシ片６３の材質には、ポリプロピレンの長繊維にたいしてナイロン繊維、ポリエチレン繊維、ポリエステル繊維、アクリル繊維、あるいはウレタン繊維のうち、少なくとも１種類以上を所定重量％配合した不織布が使用されてある。
【００３３】
ポリプロピレンの長繊維にたいして所定重量％配合する繊維については、ブラシ片６３の使用目的に応じて、最適な効果が発揮できるよう、適時、設定される。例えば、ブラシ片６３の耐摩耗性を向上させる場合には、耐摩耗性の高いナイロン繊維あるいはウレタン繊維が所定重量％配合される。また、耐候性を向上させる場合には、耐紫外線性能が高いポリエチレン繊維あるいはアクリル繊維が所定重量％配合される。また、耐熱性を向上させる場合には、耐熱性の高いポリエステル繊維あるいはアクリル繊維が所定重量％配合される。
【００３４】
実施の形態２の洗浄ブラシ６１は、上記の如くの構成となっているので、ブラシ片６３の材質に、ポリプロピレンの長繊維にたいして、ナイロン繊維を所定重量％配合した場合には、ブラシ片６３の耐摩耗性を向上させることができる。また、ポリプロピレンの長繊維にたいして、ポリエチレン繊維を所定重量％配合した場合には、ブラシ片６３の耐候性を向上させることができる。また、ポリプロピレンの長繊維にたいして、ポリエステル繊維を所定重量％配合した場合には、ブラシ片６３の耐熱性を向上させることができる。また、ポリプロピレンの長繊維にたいして、アクリル繊維を所定重量％配合した場合には、ブラシ片６３の耐熱性及び耐候性を向上させることができる。また、ポリプロピレンの長繊維にたいして、ウレタン繊維を所定重量％配合した場合には、ブラシ片６３の耐摩耗性を向上させることができる。
【００３５】
実施の形態２の洗浄ブラシ６１は、上記の如くの構成となっているが、配合％等については、使用する目的に応じて、適時、最適になるように設定しても、何ら支障は無い。
【００３６】
実施の形態３
図１０にて実施の形態３を示す。図１０は、本発明の洗浄ブラシを洗車ブラシとして使用した形態を前面側から見た斜視図である。図１０において、７１は洗車ブラシ、７２は回転軸、７３はブラシ片、７４は溝部、７５は止め金具、７６は端面である。
【００３７】
図１０において、洗車ブラシ７１は、回転軸７２、ブラシ片７３、及び止め金具７５より構成されてある。ブラシ片７３は、端面７６が重ね合わされるように、概中央部にて折り込まれた後、止め金具７５に装着されて、回転軸７２の外周部に形成された溝部７４にたいして、勘合挿入されて、複数、形成されてある。
【００３８】
ブラシ片７３には、撥水性あるいは保水性を有するコーティング処理がされてある。コーティング処理の材料については、ブラシ片７３の使用目的に応じて、最適な効果が発揮できるよう、適時、設定される。例えば、ブラシ片７３の耐摩耗性を向上させる場合には、耐摩耗性の高いウレタン樹脂が使用される。また、耐候性を向上させる場合には、耐紫外線性能が高いポリエチレン樹脂あるいはアクリル樹脂が使用される。また、耐熱性を向上させる場合には、耐熱性の高いポリエステル樹脂あるいはアクリル樹脂が使用される。また、撥水性を向上させる場合には、撥水性の高いフッ素樹脂あるいはシリコーン樹脂が使用される。
【００３９】
実施の形態３の洗車ブラシ７１は、上記の如くの構成となっているので、ブラシ片７３にウレタン樹脂を使用したコーティング処理がされてある場合には、ブラシ片７３の耐摩耗性を向上させることができる。また、ブラシ片７３にポリエチレン樹脂あるいはアクリル樹脂を使用したコーティング処理がされてある場合には、ブラシ片７３の耐候性を向上させることができる。また、ブラシ片７３にポリエステル樹脂あるいはアクリル樹脂を使用したコーティング処理がされてある場合には、ブラシ片７３の耐熱性を向上させることができる。また、ブラシ片７３にフッ素樹脂あるいはシリコーン樹脂を使用したコーティング処理がされてある場合には、ブラシ片７３の撥水性を向上させることができる。さらにまた、保水性を有する樹脂を使用したコーティング処理がされてある場合には、ブラシ片７３の水濡れ性及び保水性を向上させることができる。
【００４０】
実施の形態２の洗車ブラシ７１は、上記の如くの構成となっているが、コーティング処理の方法等については、ブラシ片７３の表面へ吹付ける方法、内部へ含浸させる方法、熱硬化させる方法、紫外線硬化させる方法、空気中の酸素あるいは、二酸化炭素と反応して硬化する、いわゆる湿気硬化させる方法等、使用する目的に応じて、適時、最適になるように設定しても、何ら支障は無い。
【００４１】
【発明の効果】
以上の説明から明らかなように、本発明の洗浄ブラシは次に示すような効果を得ることができる。なお、説明にあたっては、請求項の番号と同じ番号を付して説明する。
【００４２】
（１）ブラシ片の使用時には、複数の凸部及び凹部を、被洗浄面にたいして直交して接触させることができる。その為、ブラシ片の腰を、強く保持することができ、高い洗浄力を発揮できる。また、ブラシ片は、複数の凸部及び凹部を有する概波形凹凸形状に形成されてある為、被洗浄面にたいして、柔らかく、かつ分散させて接触させることができる。その為、高い耐久力を発揮できる。また、ブラシ片は、ポリプロピレンの長繊維よりなる不織布が使用されてある為、吸水する事無く、高い洗浄力を発揮できる。
【００４３】
また、ブラシ片の両側面に形成された端面にたいして、複数の凸部及び凹部を有する概波形凹凸形状が、所定の傾斜角度を有して形成されてある場合においては、ブラシ片の使用時には、複数の凸部及び凹部を、被洗浄面にたいして所定の傾斜角度を有して接触させることができる。その為、ブラシ片が、被洗浄面にたいして、強く接触した場合でも、所定の傾斜角度が、接触時の衝撃を柔らかく吸収することができる。その為、被洗浄面を傷つけること無く、高い洗浄力及び高い耐久力を発揮できる。また、ブラシ片の複数の凸部及び凹部が伸縮することにより、被洗浄面の汚れ等を、強く掻き出すことができる。
【００４４】
また、ブラシ片の表面に互いに直交するように複数の概波形凹凸形状が形成されてある場合においては、ブラシ片の使用時には、概波形凹凸形状が、回転軸の長手方向にたいして直交するか、あるいは平行になるように接触させることができる。その為、ブラシ片に形成された概波形凹凸形状を、被洗浄面にたいして、直交、あるいは平行に接触させることができる。その為、被洗浄面の汚れ等の付着力が強いときであっても、ブラシ片の複数の凸部及び凹部が伸びることによる洗浄力の劣化を、防止できると共に、高い洗浄力を発揮できる。また、ブラシ片の複数の凸部及び凹部が伸縮することにより、被洗浄面の汚れ等を、強く掻き出すことができる。
【００４５】
また、ブラシ片の表面に互いに直交するように複数の凸部が形成されてある場合においては、ブラシ片の使用時には、被洗浄面にたいして、互いに直交するように形成された複数の凸部を接触させることができる。その為、被洗浄面にたいして、ブラシ片を強く接触させた場合でも、変形が少なく、かつ被洗浄面を強力に洗浄することができる。
【００４６】
また、ブラシ片の表面に複数の凸球部が形成されてあると共に、端面に、複数の凸球部の一部により形成された複数の概Ｕ字形状部が、形成されてある場合においては、ブラシ片の使用時には、被洗浄面にたいして、複数の凸球部の一部により形成された複数の概Ｕ字形状部を接触させることができる。その為、被洗浄面に汚れ等が強く付着している場合でも、複数の凸球部の一部により形成された複数の概Ｕ字形状部が、汚れ等に強く接触することにより、被洗浄面を強力に洗浄することができる。
【００４７】
さらにまた、ブラシ片の表面に複数の凸球部及び凹球部が形成されてあると共に、端面に、複数の凸球部及び凹球部の一部により形成された複数の概Ｕ字形状部及び概Ｕ字形状部が、形成されてある場合においては、ブラシ片の使用時には、被洗浄面にたいして、複数の凸球部及び凹球部の一部により形成された複数の概Ｕ字形状部及び概Ｕ字形状部を接触させることができる。その為、被洗浄面に汚れ等が強く付着している場合でも、複数の凸球部及び凹球部の一部により形成された複数の概Ｕ字形状部及び概Ｕ字形状部が、汚れ等に強く接触することにより、ブラシ片の表面あるいは裏面のどちらの面を使用した場合であっても、被洗浄面を強力に洗浄することができる。
【００４８】
（２）ブラシ片の材質に、ポリプロピレンの長繊維にたいして、ナイロン繊維を所定重量％配合した場合には、ブラシ片の耐摩耗性を向上させることができる。また、ポリプロピレンの長繊維にたいして、ポリエチレン繊維を所定重量％配合した場合には、ブラシ片の耐候性を向上させることができる。また、ポリプロピレンの長繊維にたいして、ポリエステル繊維を所定重量％配合した場合には、ブラシ片の耐熱性を向上させることができる。また、ポリプロピレンの長繊維にたいして、アクリル繊維を所定重量％配合した場合には、ブラシ片の耐熱性及び耐候性を向上させることができる。また、ポリプロピレンの長繊維にたいして、ウレタン繊維を所定重量％配合した場合には、ブラシ片の耐摩耗性を向上させることができる。
【００４９】
（３）ブラシ片にウレタン樹脂を使用したコーティング処理がされてある場合には、ブラシ片の耐摩耗性を向上させることができる。また、ブラシ片にポリエチレン樹脂あるいはアクリル樹脂を使用したコーティング処理がされてある場合には、ブラシ片の耐候性を向上させることができる。また、ブラシ片にポリエステル樹脂あるいはアクリル樹脂を使用したコーティング処理がされてある場合には、ブラシ片の耐熱性を向上させることができる。また、ブラシ片にフッ素樹脂あるいはシリコーン樹脂を使用したコーティング処理がされてある場合には、ブラシ片の撥水性を向上させることができる。さらにまた、保水性を有する樹脂を使用したコーティング処理がされてある場合には、ブラシ片の水濡れ性及び保水性を向上させることができる。
【図面の簡単な説明】
【図１】本発明の洗浄ブラシを洗車ブラシとして使用した形態を前面側から見た斜視図である。
【図２】図１に使用したブラシ片を前面側から見た斜視図である。
【図３】実施の形態１の他の実施例のブラシ片を前面側から見た斜視図である。
【図４】実施の形態１の他の実施例のブラシ片を前面側から見た斜視図である。
【図５】図４のブラシ片のＡ−Ａ断面図である。
【図６】実施の形態１の他の実施例のブラシ片を前面側から見た斜視図である。
【図７】実施の形態１の他の実施例のブラシ片を前面側から見た斜視図である。
【図８】実施の形態１の他の実施例のブラシ片を前面側から見た斜視図である。
【図９】本発明の洗浄ブラシを洗車ブラシとして使用した形態を前面側から見た斜視図である。
【図１０】本発明の洗浄ブラシを洗車ブラシとして使用した形態を前面側から見た斜視図である。
【符号の説明】
１、６１、７１  洗車ブラシ  ２、６２、７２  回転軸
３、１３、２３、３３、４３、５３、６３、７３  ブラシ片
４、６４、７４  溝部  ５、６５、７５  止め金具
６、１６、２６、３６、４６、５６、６６、７６  端面
７、１７、２７、３７、４７  凸部  ８、１８、２８、３８  凹部
２５、３５、４５  端部  ４９、５９、６９  概Ｕ字形状部
５７、６７  凸球部  ６８  凹球部
【図１】
2004268007.tif 000003
【図２】
2004268007.tif 000004
【図３】
2004268007.tif 000005
【図４】
2004268007.tif 000006
【図５】
2004268007.tif 000007
【図６】
2004268007.tif 000008
【図７】
2004268007.tif 000009
【図８】
2004268007.tif 000010
【図９】
2004268007.tif 000011
【図１０】
2004268007.tif 000012